(57)【特許請求の範囲】
【請求項１】
板状のケース本体、および前記ケース本体の縁部から立設する壁部材を有するケースと、前記ケースの開口を覆うカバー本体、および前記壁部材の縁部に当接する前記カバー本体の当接面から立設する壁板を有し、前記カバー本体が前記壁部材に取り付けられたときに前記壁板が前記壁部材の外周面に対向するように配置されるカバーと、を接続するカバーの接続構造であって、
前記ケースに前記カバーが取り付けられた状態で、前記壁板が対向する前記壁部材の外周面および前記当接面にそれぞれ平行となる方向を基準方向としたときに、
前記壁部材の外周面に接続され、前記壁板の前記基準方向の中間部に接触し、前記壁板の前記中間部を前記壁部材の外周面に向かって変形させる押さえ部材と、
前記壁板における前記中間部の前記基準方向の両側を前記壁部材の外周面から離間する方向に向かって変形させる一対の変形部と、を備え、
前記押さえ部材は、前記ケースに接続された端子台であり、
一対の前記変形部は前記壁板に設けられていることを特徴とするカバーの接続構造。
【請求項２】
前記壁部材の外周面に凹部が形成され、
前記変形部は前記壁板から突出するように形成され、
前記変形部は前記凹部に係合することを特徴とする請求項１に記載のカバーの接続構造。
【請求項３】
前記変形部は、前記壁板が前記カバー本体の前記当接面から立設する立設方向の端部に、前記立設方向に向かうにしたがって前記壁板に近づくように形成された案内面を有することを特徴とする請求項１または２に記載のカバーの接続構造。
【請求項４】
前記押さえ部材は、前記壁部材の外周面に向かって凸となる曲面状に形成された押さえ側変形部を有し、
前記ケースに前記カバーが取り付けられたときに、前記押さえ側変形部は前記壁板の前記中間部に接触することを特徴とする請求項１から３のいずれか一項に記載のカバーの接続構造。
【請求項５】
板状のケース本体、および前記ケース本体の縁部から立設する壁部材を有するケースと、前記ケースの開口を覆うカバー本体、および前記壁部材の縁部に当接する前記カバー本体の当接面から立設する壁板を有し、前記カバー本体が前記壁部材に取り付けられたときに前記壁板が前記壁部材の外周面に対向するように配置されるカバーと、を接続するカバーの接続構造であって、
前記ケースに前記カバーが取り付けられた状態で、前記壁板が対向する前記壁部材の外周面および前記当接面にそれぞれ平行となる方向を基準方向としたときに、
前記壁板の前記基準方向の中間部を前記壁部材の外周面から離間する方向に向かって変形させる変形部と、
前記壁部材の外周面に接続され、前記壁板における前記中間部の前記基準方向の両側に接触し、前記中間部の前記基準方向の両側を前記壁部材の外周面に向かってそれぞれ変形させる押さえ部材と、を備え、
前記押さえ部材は前記ケースに接続された端子台であり、
前記変形部は前記壁板に設けられていることを特徴とするカバーの接続構造。
【発明の詳細な説明】
【技術分野】
【０００１】
本発明は、ケースにカバーを取り付けるためのカバーの接続構造に関する。
【背景技術】
【０００２】
従来、電子部品を外力や水、埃などから保護するために、電子部品を収容する収容空間が内部に形成された収容ケースが用いられている。
この種の収容ケースとしては、例えば、特許文献１に記載されたものがある。この収容ケースは、電子部品の下部を覆うロアケースと、ロアケースに係合し電子部品の上部を覆うアッパーケースとを備えている。アッパーケースの背面下端部とロアケースの背面上端部とを接合させた状態で、アッパーケースとロアケースとを閉じる方向に動かすと、両ケースが閉じられた状態において一方のケースに設けられた角孔と他方のケースに設けられた爪とが嵌合し、両ケースが互いに固定される。
しかし、この収容ケースでは、角孔と爪との寸法の設定値（設計時に目標とした寸法値）からのずれにより両ケースがガタつき、異音（ビビリ音）が生じる恐れがある。
【０００３】
このガタつきを抑えた構造として、特許文献２に記載された収容ケースがある。この収容ケースは、ケースと、ケースに取り付けられるカバーとを備えている。カバーの開口端周辺には、内壁部および外壁部が形成されている。外壁部には、貫通孔である嵌合口が形成されている。一方で、ケースの壁部の内面には、内面から突起した複数のガイドリブが設けられている。ガイドリブには、突起する高さを開口端に向けて減少させたテーパー部が設けられている。壁部の外面には、前述の嵌合口に係合する爪部が形成されている。
カバーの内壁部と外壁部との間にケースの壁部を挿入したときに、嵌合口に爪部が係合するとともに、内壁部がテーパー部により外壁部から離間する方向に湾曲する。内壁部がテーパー部から受ける弾性力により、ケースに対してカバーがガタつくのが抑えられる。
【先行技術文献】
【特許文献】
【０００４】
【特許文献１】特開平５−１２８４４号公報
【特許文献２】特開２００１−３３９１７４号公報
【発明の概要】
【発明が解決しようとする課題】
【０００５】
しかしながら、特許文献２の収容ケースでは、ケースの壁部の内面にガイドリブが設けられているとともに、カバーを取り付けたときにケース内に内壁部が湾曲した状態で配置される。このため、収容ケース内の収容空間が小さくなったり、収容ケース内に電子部品を収容しにくくなったりする恐れがある。
【０００６】
本発明は、このような問題点に鑑みてなされたものであって、収容空間を確保しながら、ケースとカバーとのガタつきを抑えつつケースとカバーとを確実に接続するカバーの接続構造を提供することを目的とする。
【課題を解決するための手段】
【０００７】
上記課題を解決するために、この発明は以下の手段を提案している。
本発明のカバーの接続構造は、板状のケース本体、および前記ケース本体の縁部から立設する壁部材を有するケースと、前記ケースの開口を覆うカバー本体、および前記壁部材の縁部に当接する前記カバー本体の当接面から立設する壁板を有し、前記カバー本体が前記壁部材に取り付けられたときに前記壁板が前記壁部材の外周面に対向するように配置されるカバーと、を接続するカバーの接続構造であって、前記ケースに前記カバーが取り付けられた状態で、前記壁板が対向する前記壁部材の外周面および前記当接面にそれぞれ平行となる方向を基準方向としたときに、前記壁部材の外周面に接続され、前記壁板の前記基準方向の中間部に接触し、前記壁板の前記中間部を前記壁部材の外周面に向かって変形させる押さえ部材と、前記壁板における前記中間部の前記基準方向の両側を前記壁部材の外周面から離間する方向に向かって変形させる一対の変形部と、を備え、前記押さえ部材は前記ケースに接続された端子台であり、一対の前記変形部は前記壁板に設けられていることを特徴としている。
【０００８】
この発明によれば、ケースにカバーが取り付けられたときに、壁板に設けられた一対の変形部、および押さえ部材により、壁板は、基準方向の中間部が壁部材に向かって変形すると同時に、中間部の基準方向の両側が壁部材から離間する方向に向かって変形する。すなわち、壁板は、壁部材側が凸となる弓形に変形する。そして、この際に生じる壁板の弾性力により、壁板の中間部が押さえ部材に押し付けられるとともに、中間部の基準方向の両側が壁部材に押し付けられる。例えば、変形部が設定値より小さく形成された場合に、弓形に変形する壁板の変形の程度が小さくなる。しかし、この場合においても、壁板の中間部が押さえ部材に押し付けられるとともに、中間部の基準方向の両側が壁部材に押し付けられる状態は維持される。これにより、ケースとカバーとの、壁板と壁部材とが対向する方向のガタつきを抑えて、ケースとカバーとを確実に接続することができる。
接続構造は、ケースとカバーとで形成される収容空間の外部に設けられるため、収容空間の収容性を確保することができる。
また、この発明によれば、壁板を変形させる部材を、ケースに接続される端子台で兼用させることができる。
【０００９】
また、上記のカバーの接続構造において、前記壁部材の外周面に凹部が形成され、前記変形部は前記壁板から突出するように形成され、前記変形部は前記凹部に係合することがより好ましい。
この発明によれば、ケースに取り付けられたカバーが、ケースから外れるのを抑えることができる。
【００１０】
また、上記のカバーの接続構造において、前記変形部は、前記壁板が前記カバー本体の前記当接面から立設する立設方向の端部に、前記立設方向に向かうにしたがって前記壁板に近づくように形成された案内面を有することがより好ましい。
この発明によれば、ケースにカバーを取り付けるときに壁部材に案内面が当接すると、案内面が上述のように形成されているため、壁部材にカバー本体が近づくにしたがって壁板が外方に開くように変形する。このため、ケースにカバーを取り付けやすくすることができる。
【００１１】
また、上記のカバーの接続構造において、前記押さえ部材は、前記壁部材の外周面に向かって凸となる曲面状に形成された押さえ側変形部を有し、前記ケースに前記カバーが取り付けられたときに、前記押さえ側変形部は前記壁板の前記中間部に接触することがより好ましい。
この発明によれば、弓形に変形する壁板の押さえ側変形部側の面における曲率半径を押さえ側変形部の曲率半径より大きくすることで、壁板と押さえ側変形部とが接触する位置がずれた場合であっても、壁板に押さえ側変形部を１カ所で接触させることができる。
【００１２】
この場合、壁板は、押さえ部材および一対の変形部により、基準方向に沿って互い違いとなるように３カ所で支持される。壁板が４カ所以上で支持される構成にした場合には、例えば、押え部材が当初の設定値より小さく形成された場合に、押さえ部材や変形部の配置により、ケースにカバーが取り付けられたときに押さえ部材や変形部が壁板からわずかに離間してしまう。このような部分があると、わずかに離間した部分と壁板との間で異音が生じる恐れがある。
壁板を互い違いとなるように３カ所で支持することで、壁板から異音が生じるのを防止することができる。
【００１４】
また、本発明の他のカバーの接続構造は、板状のケース本体、および前記ケース本体の縁部から立設する壁部材を有するケースと、前記ケースの開口を覆うカバー本体、および前記壁部材の縁部に当接する前記カバー本体の当接面から立設する壁板を有し、前記カバー本体が前記壁部材に取り付けられたときに前記壁板が前記壁部材の外周面に対向するように配置されるカバーと、を接続するカバーの接続構造であって、前記ケースに前記カバーが取り付けられた状態で、前記壁板が対向する前記壁部材の外周面および前記当接面にそれぞれ平行となる方向を基準方向としたときに、前記壁板の前記基準方向の中間部を前記壁部材の外周面から離間する方向に向かって変形させる変形部と、前記壁部材の外周面に接続され、前記壁板における前記中間部の前記基準方向の両側に接触し、前記中間部の前記基準方向の両側を前記壁部材の外周面に向かってそれぞれ変形させる押さえ部材と、を備え、前記押さえ部材は前記ケースに接続された端子台であり、前記変形部は前記壁板に設けられていることを特徴としている。
【００１５】
この発明によれば、ケースにカバーが取り付けられたときに、押さえ部材および壁板に設けられた変形部により、カバーの壁板は、基準方向の中間部が壁部材から離間する方向に向かって変形すると同時に、中間部の基準方向の両側が壁部材に向かってそれぞれ変形する。
これにより、壁板は押さえ部材側が凸となる弓形に変形し、ケースとカバーとの、壁板と壁部材とが対向する方向のガタつきを抑えて、ケースとカバーとを確実に接続することができる。
また、この発明によれば、壁板を変形させる部材を、ケースに接続される端子台で兼用させることができる。
【発明の効果】
【００１６】
本発明のカバーの接続構造によれば、収容空間を確保しながら、ケースとカバーとのガタつきを抑えつつケースとカバーとを確実に接続することができる。
【図面の簡単な説明】
【００１７】
【図１】本発明の第１実施形態のカバーの接続構造が用いられる収容ケースの一部を破断した斜視図である。
【図２】図１中の切断線Ａ１−Ａ１の断面図である。
【図３】図１中の切断線Ａ２−Ａ２の断面図である。
【図４】同収容ケースの要部を模式的に示す平面の断面図である。
【図５】同収容ケースの要部を模式的に示す平面の断面図である。
【図６】本発明の実施形態の変形例のカバーの接続構造が用いられる収容ケースの要部の断面図である。
【図７】本発明の実施形態の変形例のカバーの接続構造が用いられる収容ケースの要部の断面図である。
【図８】本発明の実施形態の変形例におけるカバーの接続構造で、図８（Ａ）は変形部の断面図であり、図８（Ｂ）は変形部の斜視図である。
【図９】本発明の実施形態の変形例のカバーの接続構造が用いられる収容ケースの要部の断面図である。
【図１０】本発明の第２実施形態のカバーの接続構造が用いられる収容ケースの要部を模式的に示す平面の断面図である。
【発明を実施するための形態】
【００１８】
（第１実施形態）
以下、本発明に係るカバーの接続構造（以下、「接続構造」とも称する。）の実施形態、および接続構造が用いられる収容ケースを、図１から図９を参照しながら説明する。図１に示すように、この収容ケース１は、ケース１０と、ケース１０の開口を覆うカバー２０とを備えている。
【００１９】
ケース１０は、平面視で矩形の板状に形成されたケース本体１１、および、ケース本体１１の縁部全周から立設する壁部材１２を有している。
壁部材１２におけるケース本体１１の短辺側の外周面１２ａには、一対の接続片１３が設けられている。接続片１３は、壁部材１２のケース本体１１側に設けられている。
それぞれの接続片１３には、貫通孔１３ａが形成されている。貫通孔１３ａにネジ部材を挿通させて固定することで、ケース１０を他の装置などに取り付けることができる。
壁部材１２の外周面１２ａには、端子台３０および端子台（押さえ部材）４０が不図示のネジ部材により接続されている。端子台３０および端子台４０は、ケース１０をケース長手方向Ｘに挟むように配置され、それぞれがケース１０内と電気的に接続されている。
ケース１０内には電子機器が収容可能になっていて、端子台３０からケース１０内に導かれた電力は、この電子機器により所定の処理が施され、端子台４０などから出力される。
【００２０】
本実施形態では、ケース１０は、アルミニウムを鋳造することで形成されている。ケース１０を製造するときには、図２に示すように、壁部材１２の短辺側において、金型分離面Ｌを境界面として下型と上型とに分離された型を用いる。壁部材１２の外周面１２ａとケース本体１１とのなす角θ１は、上型を取り外すために９０°より小さく設定され、外周面１２ａは抜きテーパー面となっている。
【００２１】
図３および図４に示すように、端子台４０は端子側変形部（押さえ側変形部）４１を有している。
端子側変形部４１は、平面視で壁部材１２の外周面１２ａに向かって凸となる曲面状に形成されている。端子側変形部４１は、壁部材１２におけるケース短手方向（基準方向）Ｙの中央部と対向するように配置されている。隙間Ｓは、端子側変形部４１と壁部材１２の外周面１２ａとの間に形成されている。端子側変形部４１の曲率半径は、所定値Ｒ１に設定されている。
なお、図示はしないが、端子台３０は端子台４０と同様に形成されている。
【００２２】
カバー２０は、図１および図２に示すように、ケース１０の開口１０ａを覆う平板状のカバー本体２１、および、壁部材１２の縁部に当接するカバー本体２１の当接面２１ａから立設する一対の壁板２２を有している。
壁板２２は、カバー本体２１のケース長手方向Ｘの両端部にそれぞれ設けられている。それぞれの壁板２２は、同様の構成となっているため、以下では、ケース１０にカバー２０が取り付けられたときに、端子台４０側に配置される壁板２２について説明する。
壁板２２は、カバー本体２１に比べて小さな板状に形成されている。壁板２２は、ケース１０にカバー２０が取り付けられたときに、壁部材１２の外周面１２ａに対向するように配置される。
壁板２２のケース短手方向Ｙの両端部には、壁板２２の内方の面（カバー本体２１の中央部側の面）から突出する変形部２３がそれぞれ形成されている。それぞれの変形部２３は、ドーム状に形成されている。変形部２３は、図２に示すように、壁板２２がカバー本体２１の当接面２１ａから立設するＺ１方向（立設方向）の端部に、Ｚ１方向に向かうにしたがって壁板２２に近づくように形成された案内面２３ａを有している。
なお、端子台４０および一対の変形部２３で、本実施形態の接続構造３１を構成する（図４参照。）。
本実施形態では、カバー本体２１、壁板２２、および一対の変形部２３は、弾性材料である金属板をプレス加工することなどで一体に形成されている。
【００２３】
ケース１０にカバー２０が取り付けられた状態で、壁部材１２の外周面１２ａおよびカバー本体２１の当接面２１ａにそれぞれ平行となる方向は、ケース短手方向Ｙとなる。以下では、壁板２２がケース短手方向Ｙにおいて支持されて変形する状態について説明する。
ケース１０にカバー２０が取り付けられると、図３および図４に示すように、壁部材１２と端子側変形部４１との間に形成された隙間Ｓに、カバー２０の壁板２２が挿入される。このとき、端子台４０の端子側変形部４１は壁板２２のケース短手方向Ｙの中間部２２ａに接触し、この中間部２２ａを壁部材１２の外周面１２ａに向かって変形させる。これと同時に、それぞれの変形部２３は、壁板２２のケース短手方向Ｙの両端部を壁部材１２の外周面１２ａから離間する方向に向かって変形させる。
これにより、壁板２２は、平面視で壁部材１２側が凸となる弓形に変形する。
【００２４】
本実施形態の接続構造３１によれば、ケース１０にカバー２０が取り付けられたときに、壁板２２に設けられた一対の変形部２３、および端子台４０により、壁板２２は、ケース短手方向Ｙの中間部２２ａが壁部材１２に向かって変形すると同時に、ケース短手方向Ｙの両端部が壁部材１２から離間する方向に向かって変形する。すなわち、壁板２２は、壁部材１２側が凸となる弓形に変形する。そして、この際に生じる壁板２２の弾性力により、壁板２２の中間部２２ａが端子台４０に押し付けられるとともに、壁板２２のケース短手方向Ｙの両端部が壁部材１２に押し付けられる。例えば、一方の変形部２３が設定値より小さく形成された場合に、図４中に２点鎖線で示すように弓形に変形する壁板２２の変形の程度が小さくなる。しかし、壁板２２の中間部２２ａが端子台４０に押し付けられるとともに、ケース短手方向Ｙの両端部が壁部材１２に押し付けられる状態は維持される。
これにより、ケース１０とカバー２０とのケース長手方向Ｘのガタつきを抑えて、ケース１０とカバー２０とを確実に接続することができる。
接続構造３１は、ケース１０とカバー２０とで形成される収容空間の外部に設けられるため、収容空間の収容性を確保することができる。
【００２５】
壁板２２をケース短手方向Ｙに沿って、壁部材１２側から、端子台４０側から、そして再び壁部材１２側からと、互い違いとなるように支持している。したがって、壁板２２をケース長手方向Ｘの両側から、Ｚ１方向を軸にして回転することなく安定的に支持することができる。
【００２６】
変形部２３は案内面２３ａを有するため、ケース１０にカバー２０を取り付けるときに壁部材１２に案内面２３ａが当接すると、壁部材１２にカバー本体２１が近づくにしたがって壁板２２が外方に開くように変形する。このため、ケース１０にカバー２０を取り付けやすくすることができる。
また、端子台４０は端子側変形部４１を有する。このため、図４に示すように、弓形に変形する壁板２２の端子側変形部４１側の面における曲率半径Ｒ２を端子側変形部４１の曲率半径Ｒ１より大きくすることで、壁板２２と端子側変形部４１とが接触する位置がずれた場合であっても、壁板２２に端子側変形部４１を１カ所で接触させることができる。曲率半径Ｒ２を大きくするためには、ケース１０にカバー２０を取り付けたときに壁板２２が弓形に変形する範囲内で、変形部２３が突出する長さを小さくしたり隙間Ｓを大きくしたりする方法がある。
したがって、端子側変形部４１および一対の変形部２３により、壁板２２を常に３カ所で支持することができ、ケース１０とカバー２０とを確実に接続することができる。
【００２７】
壁板２２は、端子台４０および一対の変形部２３により、ケース短手方向Ｙに沿って互い違いとなるように３カ所で支持される。これに対して、壁板２２を端子台４０に代えて、例えば図５に示すように、端子台Ｔで支持する場合で説明する。端子台Ｔは、壁部材１２に対向するように配置されている。端子台Ｔは、ケース１０にカバー２０が取り付けられたときに、壁板２２に当接部Ｔ１１、Ｔ１２で当接する端子側突部Ｔ１、Ｔ２を有している。端子側突部Ｔ１、Ｔ２は、ケース短手方向Ｙにおいて一対の変形部２３に挟まれるように配置されている。
このとき、端子側突部Ｔ２が図中に２点鎖線で示すように、当初の設定値より小さく形成された場合に、ケース１０にカバー２０が取り付けられたときに、端子側突部Ｔ２が壁板２２からわずかに離間してしまう場合がある。この場合、端子側突部Ｔ２と壁板２２との間で異音が生じる恐れがある。このように、壁板２２を４カ所で支持するためには、当接部Ｔ１１、Ｔ１２に高い寸法精度が必要になる。
壁板２２を互い違いとなるように３カ所で支持することで、高い寸法精度が必要とせずに、壁板２２から異音が生じるのを防止することができる。
押さえ部材は端子台４０であるため、壁板２２を変形させる部材を、ケース１０に接続される端子台４０で兼用させることができる。このため、収容ケース１に用いられる部品を増加させることなく、壁板２２を変形させることができる。
【００２８】
ケース１０およびカバー２０は、金属で形成されていて、収容ケース１には接続構造３１が用いられている。したがって、壁板２２が端子台４０から離間した場合であっても壁板２２の変形部２３が壁部材１２に押し付けられ、変形部２３が壁部材１２から離間した場合であっても壁板２２が端子台４０に押し付けられる。このようにケース１０とカバー２０とが常に電気的に接続されることで同電位となり、ケース１０、カバー２０間のシールド性が高まる。したがって、収容ケース１内に収容された電子機器などが外部のノイズから受ける影響を低減させることができる。
壁部材１２の外周面１２ａは前述のような抜きテーパー面となっているため、ケース１０にカバー２０を取り付けるときに、変形部２３をより確実に壁部材１２に接触させることができる。
【００２９】
本実施形態においては、接続構造はその構成を以下に説明するように様々に変形させることができる。
例えば、図６に示すように、壁部材１２の外周面１２ａに凹部１２ｂを形成するとともに、ケース１０にカバー２０を取り付けたときに、前述の変形部２３が凹部１２ｂに係合するように構成してもよい。
凹部１２ｂが外周面１２ａから凹む深さは、変形部２３が壁板２２の内方の面から突出する長さより小さく設定されている。
このように構成することで、壁板２２が弓形に変形する程度は小さくなるが、ケース１０に取り付けられたカバー２０が、ケース１０に対してＺ１方向とは反対方向となるＺ２方向に移動してケース１０から外れるのを抑えることができる。
【００３０】
図７に示すように、壁部材１２の外周面１２ａに凹部１２ｃを形成するとともに、壁板２２に変形部２７を形成してもよい。
凹部１２ｃは、凹部１２ｃと外周面１２ａとで規定される空間が、略直方体状になるように形成されている。
変形部２７は、Ｚ１方向の端部にＺ１方向に向かうにしたがって壁板２２に近づくように形成された案内面２７ａを有し、Ｚ２方向の端部にＺ２方向にほぼ直交する係止面２７ｂを有している。
変形部２７が壁板２２の内方の面から突出する長さは、凹部１２ｃが外周面１２ａから凹む深さより長く設定されている。変形部２７は、金属板の一部を切り欠いてプレス加工により切り起こすことなどで形成することができる。
このように構成することで、凹部１２ｃに変形部２７の係止面２７ｂが係合したときに、ケース１０からカバー２０が外れるのをより確実に抑えることができる。
【００３１】
なお、この変形部２７を用いる変形例では、図８（Ａ）および図８（Ｂ）に示すように、変形部２８を、ドーム形状をＺ１方向の半分のみを残した形状に形成してもよい。
変形部２８は、Ｚ１方向の端部にＺ１方向に向かうにしたがって壁板２２に近づくように形成された案内面２８ａを有し、Ｚ２方向の端部にＺ２方向にほぼ直交する係止面２８ｂを有している。変形部２８が壁板２２の内方の面から突出する長さは、凹部１２ｃが外周面１２ａから凹む深さより長く設定されている。
変形部２８をこのように構成しても、前述の変形部２７と同様の効果を奏することができる。
【００３２】
また、図９に示すように、壁板２２のＺ１方向の端部を壁板２２の内方に折り返すことで、変形部２９を構成してもよい。この場合の変形部２９が壁板２２の内方の面から突出する長さ（壁板２２の厚さ）は、凹部１２ｃが外周面１２ａから凹む深さより長く設定されている。
この変形例においても、変形部２９のＺ１方向側に案内面２９ａが、Ｚ２方向側に係止面２９ｂがそれぞれ形成される。
【００３３】
（第２実施形態）
次に、本発明の第２実施形態について図１０を参照しながら説明するが、前記実施形態と同一の部位には同一の符号を付してその説明は省略し、異なる点についてのみ説明する。
図１０に示すように、本実施形態の接続構造３２は、壁板２２の中間部２２ａにおける内方の面に設けられた変形部２３と、端子台４６とを有している。端子台４６のケース短手方向Ｙの両端部には、壁部材１２側の面から突出する端子側突部４６ａがそれぞれ形成されている。
それぞれの端子側突部４６ａは、壁部材１２に対向するように配置されている。すなわち、端子側突部４６ａは、壁部材１２の外周面１２ａとの間に隙間Ｓを形成している。端子台４６は、ケース１０に接続されている。
ケース１０にカバー２０が取り付けられたときに、変形部２３は、壁板２２の中間部２２ａを壁部材１２の外周面１２ａから離間する方向に向かって変形させ、端子台４６の端子側突部４６ａは、壁板２２のケース短手方向Ｙの両端部に接触し、壁板２２の両端部を外周面１２ａに向かってそれぞれ変形させる。
これにより、壁板２２は、平面視で端子台４６側が凸となる弓形に変形する。
【００３４】
以上のように構成された本実施形態の接続構造３２においても、壁板２２の弾性力により中間部２２ａが壁部材１２に押し付けられるとともに、壁板２２のケース短手方向Ｙの両端部が端子側突部４６ａに押し付けられる。これにより、ケース１０とカバー２０とのケース長手方向Ｘのガタつきを抑えて、ケース１０とカバー２０とを確実に接続することができる。
【００３５】
以上、本発明の第１実施形態および第２実施形態について図面を参照して詳述したが、具体的な構成はこの実施形態に限られるものではなく、本発明の要旨を逸脱しない範囲の構成の変更なども含まれる。さらに、各実施形態で示した構成のそれぞれを適宜組み合わせて利用できることは、言うまでもない。
たとえば、前記第１実施形態および第２実施形態では、ケース１０にカバー２０を容易に取り付けられる場合などには、変形部は案内面を有していなくてもよい。
押さえ部材は、端子台であるとしたが、押さえ部材としては、ケース１０に接続される他の部品を適宜用いることができる。
【００３６】
また、前記第１実施形態および第２実施形態では、壁板２２は、端子台および変形部により、ケース短手方向Ｙに互い違いとなるように３カ所で支持されていた。
しかし、ケース１０およびカバー２０などの部品を形成する寸法精度が充分高い場合などには、壁板２２が４カ所以上で支持されるように構成してもよい。
図５に２点鎖線で示すように端子側突部Ｔ２が当初の設定値より小さく形成された場合には、ケース１０に端子台Ｔが接続される向きを調節して、端子側突部Ｔ２を壁板２２側に移動させるとともに、端子側突部Ｔ１を壁板２２から離間する側に移動させる。このように調節することなどによっても、壁板２２が４カ所以上で支持される場合に好適に対応することできる。
【００３７】
前記第１実施形態では、変形部２３は、壁板２２のケース短手方向Ｙの両端部にそれぞれ形成されているとした。しかし、壁板２２において、一対の変形部２３が中間部２２ａをケース短手方向Ｙに挟むように配置されていればこの限りではない。
第２実施形態の接続構造３２においても、ケース１０にカバー２０が取り付けられたときに、一対の端子側突部４６ａが変形部２３をケース短手方向Ｙに挟むように配置されていればよい。
【符号の説明】
【００３８】
１    収容ケース
１０  ケース
１０ａ  開口
１１  ケース本体
１２  壁部材
１２ａ  外周面
１２ｂ、１２ｃ  凹部
２０  カバー
２１  カバー本体
２１ａ  当接面
２２  壁板
２２ａ  中間部
２３、２７、２８、２９  変形部
２３ａ、２７ａ、２８ａ、２９ａ  案内面
３１、３２  カバーの接続構造
４０、４６  端子台（押さえ部材）
４１  端子側変形部（押さえ側変形部）
Ｙ  ケース短手方向（基準方向）
Ｚ１  方向（立設方向）
【図１】
0005707259.tif 000002
【図２】
0005707259.tif 000003
【図３】
0005707259.tif 000004
【図４】
0005707259.tif 000005
【図５】
0005707259.tif 000006
【図６】
0005707259.tif 000007
【図７】
0005707259.tif 000008
【図８】
0005707259.tif 000009
【図９】
0005707259.tif 000010
【図１０】
0005707259.tif 000011